(57)【要約】  酪農製品、特に保存液を有する酪農製品のためのパッケージ（２０）を製造する方法であって、単数又は複数の任意の色の任意の被覆率又は被覆指数に応じて領域又はグラフィック要素を受け入れるように構成された少なくとも１つの中央領域（１１）と、少なくとも二つの横エッジ（１２，１２’）と二つの長手エッジ（１５，１６）とを備える多層フィルム（１０）をプリントする工程を有し、ここで、前記横エッジ（１２，１２’）の少なくとも一つ、および／又は、前記長手エッジ（１５，１６）上に、前記単数又は複数の色の１０％〜１５０％の総被覆率又は総被覆指数を有する印刷領域（１３，１７，１９）が設けられ、そして、前記方法は、更に、前記長手エッジ（１５，１６）と前記横エッジ（１２，１２’）とが、好ましくは、少なくとも５Ｎ／１５ｍｍの強度を備える酪農製品用のパッケージ（２０）を得るように前記長手エッジ（１５，１６）と前記横エッジ（１２，１２’）とをシールする工程を有する。
2019514811.tif 000002
【特許請求の範囲】
【請求項１】
酪農製品、特に保存液を有する酪農製品のためのパッケージ（２０）を製造する方法であって、
単数又は複数の任意の色の任意の被覆率又は被覆指数に応じて領域又はグラフィック要素を受け入れるように構成された少なくとも１つの中央領域（１１）と、少なくとも二つの横エッジ（１２，１２’）と二つの長手エッジ（１５，１６）と、を備える多層フィルム（１０）をプリントする工程を有し、
ここで、前記横エッジ（１２，１２’）の少なくとも一つ、および／又は、前記長手エッジ（１５，１６）上に、前記単数又は複数の色の１０％〜１５０％の総被覆率又は総被覆指数を有する印刷領域（１３，１７，１９）が設けられ、
そして、前記方法は、更に、前記長手エッジ（１５，１６）と前記横エッジ（１２，１２’）とが、好ましくは、少なくとも５Ｎ／１５ｍｍの強度を備える酪農製品用のパッケージ（２０）を得るように前記長手エッジ（１５，１６）と前記横エッジ（１２，１２’）とをシールする工程を有する方法。
【請求項２】
前記総被覆率又は総被覆指数の値は、約５０％以下である請求項１に記載の方法。
【請求項３】
シーリングされる前記長手エッジ（１５，１６）および／又は前記横エッジ（１２，１２’）における印刷領域（１３，１７，１９）と無色領域又はインク無し領域（１４，１８，２１）間の比率は１０％〜６０％である請求項１又は２に記載の方法。
【請求項４】
前記横エッジ（１２，１２’）および／又は前記長手エッジ（１５，１６）の特定の領域（Ｚ）に得られる、印刷領域と無彩色領域又はインク無し領域との分布は、好ましくは、１０％〜１５０％である前記被覆率又は被覆指数、および／又は、１０％〜６０％である印刷領域（１３，１７，１９）と無彩色領域又はインク無し領域（１４，１８，２１）との比率とに適合するように構成される請求項３に記載の方法。
【請求項５】
前記長手エッジ（１５，１６）および／又は前記横エッジ（１２，１２’）の少なくとも１つを印刷する工程により、製造ラインにおけるパッケージの適切な製造を可能にするのに適した、印刷領域（１３，１７，１９）と無彩色領域又はインク無し領域（１４，１８，２１）との交替が得られる請求項１〜４の何れか一項に記載の方法。
【請求項６】
被覆値での前記多層フィルム（１０）の印刷は、輪転グラビア印刷技術またはフレキソ印刷技術によって行われる請求項１又は２に記載の方法。
【請求項７】
前記多層フィルム（１０）の印刷後に、前記多層フィルム（１０）を実質的に筒状に折り曲げる工程と、その後の、前記長手エッジ（１５，１６）のシーリングと前記横エッジ（１２，１２’）のシーリングの工程が行われる請求項１〜６の何れか一項に記載の方法。
【請求項８】
請求項１〜６の何れか一項に記載の製造方法によって得られる、酪農製品、特に、保存液を有する酪農製品用のパッケージ。
【請求項９】
その内面が前記印刷領域（１３，１７，１９）のための支持体として作用する少なくとも１つの外側層（２２）と、少なくとも１つの中間シール層（２３）と、少なくとも１つの内側シール層（２４）とを備える前記多層フィルム（１０）を含む請求項８に記載のパッケージ。
【請求項１０】
前記多層フィルム（１０）は、約７０μｍ〜約８０μｍの厚みを有する請求項９に記載のパッケージ。
【発明の詳細な説明】
【技術分野】
【０００１】
利用分野
本発明は、酪農製品、特に、例えば、モッツァレラ等の、パッケージ内において保存液中に浸漬される酪農製品用のパッケージの製造方法に関する。本発明は、この方法によって製造される酪農製品用パッケージにも関する。
【背景技術】
【０００２】
技術現状
保存液を有する酪農製品用の一般的なパッケージは、２つ以上のフィルム層、通常はプラスチック層を含み、適切な接着プロセスによって接合された多層フィルムから構成されていることが知られている。前記二つの層のうちの一方は、通常、ポリエチレン製であり、シール可能であって、これは、パッケージ自体のエッジをシールすることによって得られる完成したパッケージの製造に不可欠な特徴である。シールは、例えばヒートシールまたはその他の一般的な技術によって行うことができる。
【０００３】
ロゴ、図案、記号、彩色などのグラフィック要素は、保存液を含む酪農製品の一般的なパッケージ上での印刷によってさらに印象深いものとなり、それによってパッケージが即座に認識可能となるとともに、含まれる酪農製品の特性に関する情報がパッケージ上に再現される。現行の規則により、印刷に使用されるインクは、パッケージに含まれる製品或いはその保存液と接触してはならないので、グラフィック要素を印刷するプロセスは、  所謂「逆」輪転グラビアまたはフレキソ印刷技術によって行われる。この印刷技術によれば、基本的に、多層フィルムの製造に使用される前記２枚以上のフィルムのうちの１枚がその内側にのみ印刷され、これらフィルムの接合時に、それらが前記グラフィック要素を得るべく前記インクを相互に閉じ込める。
【０００４】
保存液を有する酪農製品の一般的なパッケージの欠点は、インクの存在によってパッケージのエッジに沿ったシーリングの強度が著しく制限されることにあり、この理由から、これらのエッジは彩色無しのままとされる。これらのパッケージのシール強度が製品の適切な保存のために、又、いうまでもなく、保存液の望ましくない漏れを回避するためにも、極めて重要であることは明白である。
【０００５】
この欠点は、酪農製品パッケージの製造速度が高くなるにつれて顕著なものとなる。なぜなら、酪農製品パッケージの生産速度が速ければ速いほど、密封手段に利用可能な時間が短くなり、エッジの適切なシーリングを行うために、温度と圧力、その結果として、多層膜への応力、が高くなるからである。
【０００６】
酪農製品パッケージの製造プロセスの一部においては、これらの速度は、事実、一分間に１００個のパッケージに達しうる。
【０００７】
従来の解決策および技術のその他の限界および欠点は、図面と、後続の実施形態の説明とを参照して本明細書の残り部分を読むことによって当業者にとって明らかになるであろう。但し、本明細書に関連する技術現状の記述は、本明細書に記載されていることが先行技術の状態から既に知られていることを自認するものと見なされてはならない。
【発明の概要】
【発明が解決しようとする課題】
【０００８】
従って、公知技術の欠点の少なくとも一つを克服することが可能な、酪農製品の製造方法および酪農製品のためのパッケージの製造方法を開発することが求められている。
【０００９】
本発明の一つの課題は、パッケージの最適強度を維持しながら、シーリングを受けることになる、パッケージの横および／又は長手エッジ上に任意の彩色部分又はグラフィック要素を印刷することを可能にする酪農製品用のパッケージの製造方法を開発することにある。
【００１０】
本発明の別の課題は、シールされるのに適した印刷付きエッジを備えるパッケージであって、かつ、そのシール強度が保存液を有する酪農製品用のパッケージの高い製造速度に対しても補償されるパッケージの製造方法を開発することにある。
【００１１】
本発明の更に別の課題は、酪農製品、特に、保存液を有する酪農製品用のパッケージであって、シールされたエッジがそのシールされたエッジ上に印刷された任意の着色部分又はグラフィック要素の存在時においても、最適な強度を有するパッケージを製造することにある。
【００１２】
従って、更なる課題は、酪農製品用パッケージ、特に、シールエッジ上に着色部分又はグラフィック要素が存在することによって、即座に識別可能、かつ、美的価値を有する、保存液を備える酪農製品用のパッケージを製造することにある。
【００１３】
先行技術の欠点を克服し、これらおよびその他の目的および利点を達成するために、出願人は本発明を研究、実験し、実現した。
【課題を解決するための手段】
【００１４】
発明の概要
本発明は、独立請求項に記載され特徴付けられている。従属請求項は、本発明の他の特徴または解決構成の主要な概念の変形形態を記載するものである。
【００１５】
上記の課題および本発明の第１態様に依れば、酪農製品、特に保存液を有する酪農製品のためのパッケージを製造する方法であって、単数又は複数の色の被覆率又は被覆指数に応じて印刷された領域又はグラフィック要素を受け入れるように構成された少なくとも１つの中央領域と、少なくとも二つの横エッジと二つの長手エッジとを備える多層フィルムをプリントする工程を有し、ここで、前記横エッジの少なくとも一つ、および／又は、前記長手エッジ上に、前記単数又は複数の色の１０％〜１５０％の総被覆率又は総被覆指数を有する印刷領域が設けられ、そして、前記方法は、更に、前記長手エッジと前記横エッジとが、好ましくは、少なくとも５Ｎ／１５ｍｍの強度を備える酪農製品用のパッケージを得るように前記長手エッジと前記横エッジとをシールする工程を有する。
【００１６】
ここにおいて、そして、以下の記載および請求項において、用語、「被覆率」又は「被覆指数」は、基本的に、なんらかの印刷手段、例えば、印刷シリンダ、即ち、その支持体上に存在する量のインク、によって印刷される表面又は領域であると理解される。
【００１７】
従って、被覆率とは、インクによって被覆される印刷領域又は表面としても定義することができる。
【００１８】
一つ以上の印刷手段、例えば、複数の印刷シリンダの場合、前記被覆率は、各印刷シリンダの表面又は印刷領域となる。
【００１９】
従って、被覆率は、１００％以上にはなりえない不透明性に関連するパラメータと混同されてはならない。
【００２０】
被覆率は、通常、百分率で表され、総被覆率は、一つ以上の色が存在する場合には、個々の色の被覆率の合計である。従って、複数の被覆率の合計の場合、その結果は１００％以上になりうる。
【００２１】
非限定的具体例として、表面単位に関連する被覆率は、単一の色／印刷要素に関し、２０％〜１００％で変化可能である。これが、複数種のインクの配置におけるオーバーラップが存在する場合に、被覆率が１００％よりも高くなりうる理由である。
【００２２】
好ましくは、実施形態において、総被覆率又は総被覆指数の値は、約５０％以下である。
【００２３】
本発明の別の態様に依れば、シーリングされる、前記長手エッジおよび／又は横エッジにおける印刷領域と、無彩色領域、又はインク無し領域との間の比率は、３０％〜６０％である。
【００２４】
前記横エッジおよび／又は前記長手エッジの特定の印刷領域に得られる、印刷領域と無彩色領域又はインク無し領域との分布は、好ましくは、１０％〜１５０％である前記被覆率又は被覆指数、および／又は、３０％〜６０％である印刷領域と無彩色領域又はインク無し領域との比率とに適合するように構成される。
【００２５】
本発明の別の態様に依れば、前記長手エッジおよび／又は前記横エッジの少なくとも１つを印刷する工程により、製造ラインにおけるパッケージの適切な製造を可能にするのに適した、印刷領域と無彩色領域又はインク無し領域との交替が得られる。
【００２６】
好ましくは、そのような値の総被覆率を有する前記多層フィルムの印刷は、輪転グラビア印刷技術またはフレキソ印刷技術によって行われる。
【００２７】
本発明の別の態様に依れば、前記フィルムの印刷後に、前記フィルムを実質的に筒状に折り曲げる工程と、その後の、前記長手エッジのシーリングと前記横エッジのシーリングの工程が行われる。
【００２８】
本発明の更に別の課題は、上述した方法によって達成される、酪農製品用のパッケージ、特に、保存液を有する酪農製品用パッケージ、である。
【００２９】
本開示のこれらおよびその他の態様、特徴および利点は、以下の記載、添付の図面および添付の請求項を参照することによってより良く理解されるであろう。本明細書に組み込まれ、本明細書の一部を形成する、添付の図面は、本主題の実施形態のいくつかの形態を説明し、記載し、本開示の原理を説明することを意図するものである。
【００３０】
本明細書に記載の様々な態様および特徴は、可能な場合、個別に適用することができる。これらの個々の態様、例えば、明細書または添付の従属請求項に含まれる態様および特徴は、分割出願の課題となりうる。
【００３１】
特許取得手続中に既に知られていることが判明したいかなる態様または特徴もクレームされるものではなく、ディスクレーマの対象であることが銘記される。
【００３２】
本発明のこれらおよび他の特徴は、添付の図面を参照して非限定的な例として提供される実施形態の以下の説明から明らかになるであろう。
【図面の簡単な説明】
【００３３】
【図１】本発明による酪農製品のパッケージを製造するのに適した多層フィルムの上からの図を示す。
【図２】本発明による酪農製品用パッケージの正面図である。
【図３】本発明による酪農製品用パッケージの背面図である。
【図４】本パッケージの１つの長手シール上に形成された印刷領域の拡大図である。
【図５】酪農製品用の本パッケージ用のシールエッジの変形例を示す図である。
【図６】本多層フィルムの模式的な断面図である。
【発明を実施するための形態】
【００３４】
理解を容易にするために、図中の同一の共通要素を識別するために、可能な限り同一の参照番号を使用した。ある形態の実施例の要素および特徴は、追加仕様無しに他の形態の実施例に適切に組み込むことができることと理解される。
【００３５】
実施形態の説明
ここで、本発明の様々な実施形態を詳細に参照するが、そのうちの１つまたは複数の実施例が添付の図面に示されている。各例は、本発明の例示として提供されるものであって、本発明の限定を意味するものではない。例えば、一実施形態の一部であるとして図示または説明される特徴は、他の実施形態に適用、又は他の実施形態と組み合わせでさらなる実施形態を作り出すことが可能である。本発明は、そのような改変およびバリエーションを含むものと理解される。
【００３６】
実施形態を説明する前に、本説明は、その適用において、添付の図を用いた以下の説明に記載される構成要素の構成および配置の詳細に限定されるものではないことが明記される。本説明は、他の形態の実施形態を提供することが可能であり、或いは、他の方法で実現又は実施することが可能である。さらに、ここで使用されている表現および用語は説明的な目的を有するものであり、限定的とみなされるべきではないことが明記される。
【００３７】
添付の図面を参照すると、１０によって、それら自身の保存液に浸漬された酪農製品用のパッケージ２０を得るのに適した多層フィルムが示されている。
【００３８】
前記フィルム１０は、上述したように、多層フィルムの形成のために使用される内側または外側を印刷することによって形成され、それによりインクがフィルム１０の内部に閉じ込められ、当該インクがパッケージされる製品と接触することを防止する。
【００３９】
前記フィルム１０は中央領域１１を含み、ここには、任意の色のグラフィック要素および任意の彩色部分を任意の被覆度または被覆率で挿入することができる。
【００４０】
前記フィルム１０は、また、その２つの対向する面に、二つの横エッジ１２、即ち、実質的にＴ方向に向けられたエッジを有し、これらは、任意のタイプのグラフィック要素を有する印刷領域１３と、無彩色又はインク無し領域１４とを交互に備える。
【００４１】
前記フィルム１０は、２つの長手エッジ１５，１６、即ち、実質的にＬ方向に向けられたエッジ、によってそれぞれの側で、終端し、これらエッジの内の少なくとも１つ、例えば長手エッジ１５は、印刷領域１７と無彩色又はインク無し領域１８とを交互に備える。
【００４２】
例えば、前記横エッジ１２の前記印刷領域１３についてみると、それらは、所定の被覆範囲または被覆指数を有する１つまたは複数の色を使用して得られたものと推定することができる。
【００４３】
一例として、図２の印刷領域Ｚを見ると、これらの印刷領域１３が、高い被覆力例えば濃い青の第１の色と、低い被覆力を有する第２の色、例えばシアン、とを提供するものと仮定すると、約７０％に対応する第１の色の被覆率または被覆指数と、８５％に対応する第２の色の被覆率または被覆指数とを有する印刷領域１３を得ることができる。なぜなら、前記第２の色は被覆力が低いので、前記印刷領域１３上においてより大きな量使用することが可能であるからである。
【００４４】
この例示的なケースでは、長手シールエッジ全体で計算される被覆率は、好ましくは、より高い被覆力を有する第１の色については約１５％、被覆力がより低い第２の色については約２０％に対応するものとなる。
【００４５】
従って、一つ以上の色が存在し、かつ、前記パッケージ２０を閉じるために前記横エッジ１２が受けるシーリングの強度を保証するために、特定の印刷領域Ｚと前記横シーリングエッジ１２全体との両方においてそれらの色を適切な範囲としなければならない場合、前記被覆率又は被覆指数は、使用される単数又は複数の色、に応じて変化する。
【００４６】
同じことが、そこで、印刷領域１７が、使用および適用される色に応じて、適切な範囲内に含まれる被覆値を有するものとされる、前記長手エッジ１５にも当てはまる。
【００４７】
図１に示す例に示されていたことを一般化すると、本出願人は、適切な実験を通じて、前記印刷領域１３を形成するために、１０％〜１５０％、好ましくは５０％以下の単数又は複数種のインクの総被覆率又は総被覆指数を使用することによって、前記横エッジ１２と前記長手エッジ１５および１６とのシーリングの強度が少なくとも５Ｎ／１５ｍｍに等しくなるように保証されるという驚くべき発見をした。
【００４８】
前記シーリング強度値は、約１５ｍｍに対応する横エッジ１２および／または長手エッジ部１５，１６のセグメント上で測定される。
【００４９】
前記強度値は、名称ASTM F88-85 Giflex No.3で知られているシール強度測定基準又はその均等基準に従って確立される。
【００５０】
前記シーリング強度値は、前記パッケージ２０がどのような状態であっても、例えば容器等に収容されているときに相互に接触することにより圧力にさらされたときにおいても、及び使用されるインク又はインクのタイプの如何に関わらず、保証される。
【００５１】
上記総被覆率の範囲の最小値は十分なグラフィック性能を保証するものであり、他方、前記総被覆率の最大値は所望のシール強度を保証するものである。
【００５２】
前記総被覆率の両方の値、すなわち長手方向および／または横方向のシールエッジ全体に有効な被覆率により、前記横エッジ１２および前記長手エッジ１５，１６のシールの強度は、パッケージ２０がどのような状態であっても、例えば容器等に入れられたときに相互に接触することにより圧力にさらされるときにも、又、使用されるインク又はインクのタイプの如何に関わらず、少なくとも５Ｎ／１５ｍｍに等しいものとなるように保証される。
【００５３】
考慮され、横エッジ１２と、更に、印刷領域を含む横エッジ、例えば、長手エッジ１５の、さらに効率的で均一な強度を保証するために重要であることが判明した別のパラメータは、印刷領域１３と、無彩色又は無インク領域１４との間の比率が１０％〜６０％の範囲でなければならないということである。
【００５４】
更に、前記印刷領域１３と無色領域との分布は、例えば図２を参照すると、より大きなスケールにおいて、特に印刷領域１３を含む横エッジ１２の印刷領域Ｚ、との関連において、適切なパラメータを満たさなければならず、具体的には、無色領域又はインク無し領域に対する印刷領域１３の分布が、１０％〜１５０％の被覆率範囲、および／又は、印刷領域と彩色領域との間の比率１０％〜６０％、との両方を満たさなければならないということが見出された。
【００５５】
図３および図４において、内部に、その保存液に浸漬された酪農製品、例えばモッツァレラ、を閉じた状態で収容しているパッケージ２０の、前方と後方が図示されている。
【００５６】
図５は、例えば、無色領域または無インク領域２１と交替で、異なる印刷領域１９を備える別の横エッジ１２’を製造するために提供可能ないくつかのバリエーションの一つを図示している。
【００５７】
この場合においても、シールすべきエッジ全体（この場合は横エッジ１２’）の総被覆率は、１０％〜１５０％、好ましくは５０％以下の値を有さなければならない。前記総被覆率の前記値は、長手エッジ１５および／または１６にも適用される。
【００５８】
前記横エッジ１２に関して見たように、前記横エッジ１２’上でのより良好な均一性のシーリングの強度を保証するために、印刷領域１９と無色又は無インク領域２１との間の比率は、１０％〜６０％でなければならない。
【００５９】
勿論、その後、シーリングされる、前記横エッジ１２および１２’と長手エッジ１５又は１６との最小強度が少なくとも５Ｎ／１５ｍｍであることが常に保証される限り、これら横エッジ１２及び１２’と長手エッジ１５又は１６とは、種々の形態および分布の印刷領域１３，１７，１９を有することが可能である。前記強度値は、約１５ｍｍの幅を有する長手および／または横エッジに関するものである。
【００６０】
前記パッケージを製造する方法は、上述した手順に従って、前記中央領域１１と横エッジ１２又は１２’、そして場合によっては、前記長手エッジ１５、を印刷する工程の後に、前記フィルム１０に実質的に筒形状を与えるために、当該フィルム１０を、およそ軸心Ｌ１およびＬ２周りで折り曲げる工程が行われる。
【００６１】
前記折り曲げ工程の後、前記長手エッジ１５および１６、の長手シーリングが行われ、次に、酪農製品が前記パッケージ内に挿入された後、前記下方横エッジ１２とその後の前記上方横エッジ１２とのシーリングが行われる。実際には、上述したように毎分１００パッケージ以上にもなりうる、パッケージの製造速度を考慮して、両横エッジ１２のシーリングは実質的に同時に行われる。
【００６２】
上述したように、上に示した総被覆率の値によって前記横エッジ１２又は１２’と長手エッジ１５および／又は１６を印刷する工程により、パッケージの製造および保存条件の如何に関わらず、シーリング領域において最適な強度を有する酪農製品用のパッケージを得ることが可能である。
【００６３】
図６は、具体的には、三つの層２２，２３，２４と印刷領域、例えば、印刷領域１３，１７又は１９、を有する、本発明によるフィルム１０の断面を概略図示している。
【００６４】
例えば、そして図示をより明確にするために、前記層２２，２３，２４と印刷領域は、互いに分離されて図示されているが、勿論、最終のフィルム１０において、それらは相互に隣接するものとなる。
【００６５】
又、前記層２２，２３，２４と印刷領域１３との図示された厚みは純粋に例示的なものであって、限定的なものではない。
【００６６】
前記印刷領域１３，１７および／又は本フィルム１０を本発明の実施形態にするために、「逆」輪転グラビア印刷が使用される。
【００６７】
例えば、前記印刷領域１３，１７又は１９を得るために、適当な粘度を有するインクを、前記印刷層２２の内面上に直接に転移するために適当に予め彫刻された印刷シリンダを使用することができる。
【００６８】
基本的には、それにより、前記層２２がフィルム１０の外側部分を表し、当該層２２自身が前記印刷領域１３，１７又は１９から、又はそこへの保護として機能するように、内部で印刷される。
【００６９】
より多くの色が前記印刷領域１３，１７または１９を作るために使用される場合、より多くの印刷シリンダが使用され、それらの各々が前記層２２上に特定の色を載置する。
【００７０】
所望の最終印刷領域を得るために、最終結果、例えば、前記印刷領域１３，１７または１９、を達成するために必要な異なる色が順番に印刷される。
【００７１】
例えば、前記印刷領域１３，１７又は１９を得るために単数又は複数の色を載置するためにフレキソ印刷機械を使用する場合には、当該機械には、通常、インキング装置と、それぞれの特定の色のための印刷シリンダとが供えられる。
【００７２】
又、フレキソ印刷機械を使用する場合は、その最終結果は、異なる色のシーケンス又はオーバーラップとなる。色のオーバーラップの場合には、前に述べたように、印刷領域上の色の総被覆率値は１００％より高くなる。
【００７３】
上述したように、例えば、図２の領域Ｚでは、被覆率が異なるまたは等しい割合の色で得られる２つの印刷領域１３を提供することができ、色がオーバーラップする中央領域Ｚ１では、前記色の各々が５０％より高い被覆率を有する場合には、総被覆率は１００％以上になりうる。
【００７４】
前記層２２または印刷支持体は、ナイロンなどの材料から作ることができる。
【００７５】
前記層２３は、中間シール層であり、これは例えば鋳造ポリエチレン等から作ることができる。
【００７６】
前記層２４は、製品と直接接触する内側シール層であり、例えば押し出しヒートシール可能なポリエチレンなどから作ることができる。
【００７７】
前記フィルム１０の総厚みは、例えば、約７０μｍ〜約８０μｍの間とすることができる。図６に図示されている前記フィルム１０の構造は、有用な審美性の他に、大きな抵抗と、それと同時にパッケージの軽量性とを保証する。
【００７８】
本発明の範囲から逸脱することなく、上述したようにして製造された酪農製品用パッケージおよび酪農製品用パッケージを製造するための本方法に対して、改変および／又は部品の追加を行うことができることは勿論である。
【００７９】
又、本発明を、いくつかの特定の例を参照して記載したが、当業者は、請求項に記載の特徴を備えてこのように製造された酪農製品用パッケージの製造方法と酪農製品用パッケージとの他の均等形態を容易に達成可能であることも勿論であり、これらのすべても請求項によって定義された保護範囲内に含まれる。
【００８０】
以下の請求項において、括弧内の参照番号の目的は、読解を容易にするためのものに過ぎず、特定の請求項の根底をなす保護分野に関する限定的な要素とみなされてはならない。
【図１】
2019514811.tif 000003
【図２】
2019514811.tif 000004
【図３】
2019514811.tif 000005
【図４】
2019514811.tif 000006
【図５】
2019514811.tif 000007
【図６】
2019514811.tif 000008
【国際調査報告】
2019514811.tif 000009
2019514811.tif 000010